(57)【要約】  バルーンおよび花のセンターピースキットは、互いに固定されて任意の数の異なる形状を形成する複数の連動延長部材を含む。ベースユニットは、最下部の延長部材に取り外し可能に固定される。ベースユニットは、本体と、蓋と、軸連結部材と、を含む。トッパーは、最上部の延長部材の上端部に取り外し可能に固定される。複数のバルーンは、複数の連動延長部材、ベースユニットおよびトッパーのうちの１つまたは複数に沿って取り外し可能に固定される。キットはまた、複数の略Ｔ字形スパイク、様々な装飾要素、バルーンポンプ、および組立説明書を含む。
2019518880.tif 000002
【特許請求の範囲】
【請求項１】
キットであって、
各々が第１の端部、第２の端部、および中間部を有する細長い略管状の形状を含む、複数の連動延長部材と、
本体および軸連結部材を有するベースユニットであって、前記軸連結部材は、前記連動延長部材のうちの１つの前記第１の端部と係合するように構成される、ベースユニットと、
前記複数の連動延長部材のうちの１つの前記第２の端部と係合するように構成された底端部を有するトッパーと、
前記複数の連動延長部材、前記ベースユニット、および前記トッパーのうちの１つまたは複数に固定するための複数のバルーンと、
を含むキット。
【請求項２】
前記複数の連動延長部材の各々に沿って配置された複数の小開口部と、
複数の略Ｔ字形スパイクであって、前記スパイクの各々は、前記小開口部のうちの１つに係合する前に前記複数のバルーンのうちの少なくとも１つの非膨張部分を穿刺するように構成された第１の端部を含む、複数の略Ｔ字形スパイクと、
をさらに含む、請求項１に記載のキット。
【請求項３】
前記ベースユニットの前記本体は、平坦な底部と、内部空間を形成する複数の側面と、を有する略箱形の形状を含み、
前記軸連結部材は、前記内部空間内に配置される、請求項１に記載のキット。
【請求項４】
前記ベースユニットの上端部に取り外し可能に固定された蓋であって、前記蓋は、前記連動延長部材のうちの前記１つの前記第１の端部を受け入れるために前記軸連結部材の上に配置された中央開口部を含む、蓋
をさらに含む、請求項３に記載のキット。
【請求項５】
前記本体は水密であり、内部に水を受け入れて貯蔵するように構成される、請求項４に記載のキット。
【請求項６】
前記内部空間内に配置された１つまたは複数の重み付け要素
をさらに含む、請求項４に記載のキット。
【請求項７】
前記軸連結部材は、前記１つまたは複数の重み付け要素のうちの１つの上端部に固定される、請求項６に記載のキット。
【請求項８】
前記重み付け要素の少なくとも１つはフロアタイルを含む、請求項７に記載のキット。
【請求項９】
前記トッパーは、
中空の中間部と、
前記中空の中間部内に延在する開口部を有する上端部と、
をさらに含む、請求項１に記載のキット。
【請求項１０】
前記トッパーは、
リングが配置された上端部
をさらに含む、請求項１に記載のキット。
【請求項１１】
前記トッパーは、
細長い中間部と、
キャップ付き上端部と、
前記細長い中間部および前記キャップ付き上端部に沿って配置された複数の小開口部と、
複数の略Ｔ字形スパイクであって、前記スパイクの各々は、前記小開口部のうちの１つに係合する前に前記複数のバルーンのうちの少なくとも１つの非膨張部分を穿刺するように構成された第１の端部を含む、複数の略Ｔ字形スパイクと、
をさらに含む、請求項１に記載のキット。
【請求項１２】
組立説明書と、
バルーンポンプと、
複数の装飾要素と、
をさらに含む、請求項１に記載のキット。
【請求項１３】
前記複数の連動延長部材のうちの少なくとも１つは、前記複数の連動延長部材のうちの別の連動延長部材の長さと異なる長さを含む、請求項１に記載のキット。
【請求項１４】
前記複数の連動延長部材のうちの少なくとも１つは、前記複数の連動延長部材のうちの別の連動延長部材の形状と異なる形状を含む、請求項１に記載のキット。
【発明の詳細な説明】
【技術分野】
【０００１】
本発明は、装飾的配置に関し、より詳細には、バルーンおよび花のセンターピースキットに関する。
【背景技術】
【０００２】
このセクションの記述は、単に本開示に関連する背景情報を提供するだけであり、従来技術を構成しなくてもよい。
【０００３】
花束やバルーンの配置などの装飾的な卓上のセンターピースは、休日および例えば誕生日、結婚式および／または記念日などの特別な行事を祝うための一般的な方法である。個々の花やバルーンはアメリカのほぼすべての食料雑貨店で購入することができるが、ほとんどの消費者は専門的に設計され構築されたセンターピースによる芸術性を再現することができない。
【０００４】
この理由のために、消費者は、特定の行事に合ったカスタムセンターピースを作成するために、現在、地元の花屋やバルーン装飾会社に依頼しなければならない。このプロセスは間違いなく見事なディスプレイを生み出すが、それはセンターピースのサプライヤがカスタム作業を補わなければならないため、やや高価な投資となる。さらに、組み立てられた製品の微妙な性質のために、そのような配置を、それを損傷することなく出荷することは非常に困難であり費用がかかる。
【発明の概要】
【発明が解決しようとする課題】
【０００５】
したがって、消費者がバルーンおよび／または花の配置をディスプレイするために専門的に設計された卓上センターピースを作成することを可能にするために必要な部品および指示のすべてを含む、消費者に出荷可能なキットを提供することは有益であり、それによって上記の欠点が軽減される。
【課題を解決するための手段】
【０００６】
本発明は、バルーンおよび花のセンターピースキットに関する。本発明の一実施形態は、互いに固定されて任意の数の異なる形状を形成することができる複数の連動延長部材を含むことができる。本発明はまた、最底部の延長部材に固定することができるベースユニットを含むことができる。ベースユニットは、組み立てられたセンターピースがそれ自身の上に立つことを可能にするように機能することができる。トッパーはまた、最上部の延長部材に固定することができ、機能特有の上端を有することができる。キットはまた、複数の連動延長部材、ベースユニットおよびトッパーのうちの１つまたは複数に固定するための複数のバルーンを含むことができる。
【０００７】
別の実施形態では、複数の連動延長部材は、様々な長さおよび形状を含むことができる。延長部材の各々はまた、複数の略Ｔ字形スパイクを受け入れることができる複数の開口部を含むことができる。スパイクは、延長部材上に固定するためにバルーンの非膨張部分を穿刺するように機能することができる。さらに別の実施形態では、キットは、様々な装飾要素、バルーンポンプ、組立説明書、および／または花を含むこともできる。
【０００８】
この要約は、特定の概念を導入するためだけに提供され、請求される主題の重要なまたは本質的な特徴を特定するために提供されていない。
【０００９】
現在好ましい実施形態が図面に示されている。しかし、本発明は、図示された正確な配置および手段に限定されないことを理解されたい。
【図面の簡単な説明】
【００１０】
【図１】本明細書に開示した本発明の概念を理解するのに有用な、分解された構成のバルーンおよび花のセンターピースキットの斜視図である。
【図２Ａ】本発明の一実施形態による、バルーンおよび花のセンターピースキットのベースユニットの分解斜視図である。
【図２Ｂ】本発明の一実施形態による、バルーンおよび花のセンターピースキットのベースユニットの斜視図である。
【図３】本発明の一実施形態による、バルーンおよび花のセンターピースキットの一対の連動延長部材の側面図である。
【図４Ａ】本発明の一実施形態による、バルーンおよび花のセンターピースキットのためのトッパーの一実施形態の側面図である。
【図４Ｂ】本発明の一実施形態による、バルーンおよび花のセンターピースキットのためのトッパーの別の実施形態の側面図である。
【図４Ｃ】本発明の一実施形態による、バルーンおよび花のセンターピースキットのためのトッパーの別の実施形態の側面図である。
【図５】本発明の一実施形態による、組み立てられたバルーンおよび花のセンターピースキットの斜視図である。
【図６】本発明の一実施形態による、組み立てられたバルーンおよび花のセンターピースキットの別の斜視図である。
【図７】本発明の一実施形態による、組み立てられたバルーンおよび花のセンターピースキットのさらに別の斜視図である。
【発明を実施するための形態】
【００１１】
本明細書は、新規であるとみなされる本発明の特徴を定義する特許請求の範囲で結論づけられるが、本発明は、図面と併せて説明の考察からよりよく理解されると考えられる。必要に応じて、本発明の詳細な実施形態を本明細書に開示するが、しかし、開示された実施形態は、様々な形態で具体化することができる本発明の単なる例示であることを理解されたい。したがって、本明細書で開示される特定の構造的および機能的詳細は、限定として解釈されるのではなく、単に特許請求の範囲の基礎として、および当業者に実質的に任意の適切な詳細構造で本発明の配置を様々に採用することを教示するための代表的基礎として解釈される。さらに、本明細書で使用される用語および語句は、限定することを意図するものではなく、むしろ本発明の理解可能な説明を提供することを意図している。
【００１２】
図１〜図７は、本明細書に開示した発明概念を理解するのに有用なバルーンおよび／または花の配置を表示するためのセンターピースキットの様々な実施形態を示す。同一の符号は、本発明の同様の要素または同様の機能の要素に使用される。明確にするために、個々の図には、それぞれの図の説明に必要な符号のみが示されている。本明細書の目的のために、「上」、「下」、「右」、「左」、「前」、「垂直」、「水平」という用語およびそれらの派生語は、図１に示す本発明に関する。
【００１３】
図１は、バルーンおよび花のセンターピースキット１０の分解部分図である。図示するように、キットは、ベースユニット２０、複数の連動延長部材３０、および／または１つもしくは複数のトッパー４０を含むことができる。様々な実施形態では、キットはまた、複数のバルーン５ａおよび／または花５ｂ、組立説明書６、オプションのバルーンポンプ７、および／または装飾ボウ８ａ、看板８ｂ、飾りリボン８ｃ、羽根および／またはガーランドラップワイヤ８ｄなどの様々な装飾要素８を含む。もちろん、任意の数の異なる装飾要素もキットと共に提供することができる。
【００１４】
図２に示すように、ベースユニット２０は、平坦な底部と、内部空間２１ａを形成する複数の側面と、を有する略箱形の本体２１を含むことができる。中心に配置された開口部２２ａを有する実質的に同一形状の蓋２２は、本体に沿って配置された相補的な切欠き２３ｂと係合するような大きさと形状の複数の圧縮タブ２３ａを介して本体の上部に取り外し可能に固定することができる。
【００１５】
本体および蓋は、好ましくは、例えばプラスチックなどの耐久性のある軽量材料から構成することができるが、任意の数の他の構造材料もまた考えられる。いずれの場合でも、本体および蓋は、それぞれ、特定のテーマまたはイベントに適合する任意の数の異なる形状、サイズおよび／または表示を含むことができる。
【００１６】
本明細書に記載されているように、「表示」という用語は、例えば、色、マーキング、単語、シンボル、ロゴ、デザイン、ライト、材料のタイプ、材料のテクスチャリング、パターン、画像、図、写真、および／または宝石などの任意のタイプの装飾要素を含むことができる。表示は、表面と同一平面上にあるように、または３次元効果を与えるように表面から隆起／突出するように、公知の技術に従ってベースユニットの上および／または中に固定することができる。
【００１７】
本体の内部空間２１ａ内に１つまたは複数の重み付け要素２４を固定することができ、組み立てられたセンターピースが転倒または落下するのを防止するように機能することができる。この目的のために、各センターピースの正確な重量は、最終的な形状および部品の数に応じて変化し得る。一実施形態では、重み付け要素は、既知の重量と、本体内に積み重ね可能な平坦な上面とを有する市販のフロアタイルを含むことができる。もちろん、内部空間内に嵌合可能な形状を有する任意の物体、および装置の転倒を防止するのに適した重りを利用することもできるので、重み付け要素２４はタイルに限定されない。
【００１８】
軸連結部材２５は、中央開口部２２ａの真下の位置で内部空間２１ａ内に配置することができる。図示するように、連結部材２５は、その上端に沿ってねじ孔２５ａを含むことができる。ねじ孔は、後述する連動延長部材３０の一端をねじり運動によって受け入れるのに適した形状およびサイズを含む。軸連結部材の底端部２５ｂに沿って、接着剤２６または他のこのような接着剤を配置して、最上部の重み付け要素２４にピールアンドスティック方式で固定することができる。もちろん、連結部材を重み付け要素に結合することができる任意の数の他の装置を利用することもできる。
【００１９】
特定の形状、サイズおよび／または構築材料を含むものとして上で説明したが、これは例示のためのものであり、他の多くの実施形態も考えられる。この目的のために、図２Ａは、本体の内部空間が防水性である一実施形態を示し、エンドユーザが水を重み付け要素として利用することができる。さらに、上述の軸連結部材２５は、上述したように、両方の部品の機能を果たす単一要素を形成するように、蓋２２に固定されるか、または蓋２２内に埋め込まれてもよい。
【００２０】
図３に示すように、各延長部材３０は、第１の端部３１ａと、中間部３１ｂと、第２の端部に沿った開口部３１ｃと、を有する細長い略管状の本体を含むことができる。延長部材の各々はまた、その全体に沿って配置された複数の小開口部３２を含むことができる。このような開口部は、バルーンを固定することができる任意の数の略Ｔ字形スパイク３５を受け入れるように機能することができる。様々な実施形態では、バルーンが空気で膨張され、結び目で密封されると、結び目の非膨張側の残りの材料は、その同じ端部が開口部のうちの１つに配置される前にＴ字形スパイクの端部によって穿孔され得る。このような特徴は、各延長部材に沿ってバルーンを正確かつ安全に配置することを可能にする。
【００２１】
別の実施形態では、１つまたは複数のＴ字形スパイクは、その一端に沿って配置される接着材料をさらに含むことができる。接着剤は、ユーザが開口部３２を利用せずに装置の任意の部分にＴ字形部材を接着させることを可能にするように機能することができる。
【００２２】
好ましい実施形態では、複数のねじ要素３１ａ１を第１の端部３１ａの外周に沿って配置することができ、別の複数のねじ要素３１ｃ１を第２の端部の開口部３１ｃ内に配置することができる。これに関して、各延長部材の第１の端部は、別の延長部材の第２の端部の開口部内に挿入することができ、ねじり動作により定位置に固定することができる。このような特徴は、結果として得られた組み立てられたセンターピースがその形状を維持し、容易に変形しないことを保証する。相補的な物体をねじり動作によって互いに固定するためのランドおよび溝を有するねじ要素は極めて周知である。
【００２３】
本明細書で説明するように、延長部材の各々は、任意の数の異なる長さ、形状およびサイズを含むことができ、好ましくは、例えばＰＶＣなどの軽量材料から構築することができる。もちろん、任意の数の他の構築材料も考えられる。さらに、様々な実施形態では、１つまたは複数の延長部材は、中空で、本質的に概ね透明であってもよく、例えば、キャンディなどの二次的な物体を格納するように機能することができる。
【００２４】
回転力により部品を共に固定するためにねじ要素を利用するものとして上述したが、本明細書に開示した発明概念は、そのような要素の使用に限定されない。したがって、各部品は、ねじ要素を利用することなく共に固定されるように製造することができ、および／または２つの物体を共に永久的または非永久的に結合することができる任意の数の通常のコネクタを用いて共に固定することができる。いくつかの非限定的な例には、フックおよびループ材料（すなわちＶｅｌｃｒｏ（登録商標））の対向するストリップ、磁気要素、ならびにスナップおよびボタンなどの圧縮嵌合が含まれる。
【００２５】
図４Ａ、図４Ｂおよび図４Ｃは、延長部材３０と共に使用するためのトッパー４０の様々な実施形態を示す。図示するように、トッパー４０の各々は、底端部４１ａ、中間部４１ｂおよび上端部４１ｃを有する本体を含むことができる。好ましい実施形態では、各トッパーの底端部は、上述したように、各トッパーの底端部が延長部材のねじ孔内に挿入されるように、その上に配置された複数のねじ要素４１ａ１を含むことができる。各トッパーの上端部は、無制限の数の異なるデザイン、形状および／または部品を含むことができる。
【００２６】
この目的のために、トッパーの様々な実施形態は、例えばキャンディ２などの物体を受け入れるための花瓶を形成する開口部４２を含むことができる。別の実施形態では、トッパーは、上端部に沿ってリング４３を含むことができる。リングは、任意の数の装飾要素をその上に結ぶように機能することができる。トッパーのさらに別の実施形態は、キャップ付き上端部４４と、Ｔ字形スパイクを受け入れるための複数の上述の開口部３２と、を含むことができる。
【００２７】
もちろん、トッパー４０は、図示した設計に限定されず、任意の数の他の実施形態が、その上端部に沿って固定された任意の数の異なる形状、サイズ、および／または部品を有することが考えられる。
【００２８】
図５〜図７は、様々な異なる行事に合うように専門的に設計することができる、完全に組み立てられたセンターピースキット１０のいくつかの非限定的な例を示す。図示する例の各々は、分解された構成で消費者に出荷され、説明書６の助けを借りてエンドユーザによって組み立てられる。この目的のために、３つの特定のバージョンに関して図示しているが、当業者は、過度の実験をすることなく、かつ本明細書に開示した発明の概念から逸脱することなく、任意の数の異なる形状およびデザインを作成できることを認識するであろう。
【００２９】
本明細書に記載しているように、組立式センターピースキット１０の１つまたは複数の要素は、とりわけ、例えばねじ、接着剤、圧縮嵌合および溶接などの任意の数の公知の取り付け手段を用いて共に固定することができる。さらに、上述の実施形態は、別個の個別要素を含むものとして説明したが、本明細書に開示した発明の概念はこれに限定されない。この目的のために、当業者は、溶接、鋳造、またはモールドなどの製造プロセスのいずれかより、あるいは識別可能な部分を形成する前述の部品を用いてミリングまたは機械加工された材料の単一片の使用により、１つまたは複数の個別に識別された要素が１つまたは複数の連続要素として共に形成されてもよいことを認識するであろう。
【００３０】
本発明の方法および使用のさらなる説明に関して、同じことが上記の説明から明らかである。したがって、使用法および操作方法に関するこれ以上の説明は提供しない。
【００３１】
本明細書で使用する用語は、特定の実施形態のみを説明するためのものであり、本発明を限定するものではない。本明細書で使用されるように、単数形「ａ」、「ａｎ」および「ｔｈｅ」は、文脈上他に明白に示されていない限り、複数形も含むことが意図される。本明細書で使用される場合、「含む（ｃｏｍｐｒｉｓｅｓ）」および／または「含む（ｃｏｍｐｒｉｓｉｎｇ）」は、記載された特徴、整数、ステップ、動作、要素および／または構成要素の存在を特定するが、１つまたは複数の他の特徴、整数、ステップ、動作、要素、構成要素、および／またはそれらのグループの存在または追加を排除するものではないことがさらに理解されよう。
【００３２】
以下の特許請求の範囲におけるすべての手段またはステップと機能要素の対応する構造、材料、動作、および均等物は、具体的に請求される他の請求項と組み合わせて機能を実行するための構造、材料、または動作を含むものとする。本発明の説明は、例示および説明のために提示されているが、網羅的なものではなく、または開示された形態の本発明に限定されるものではない。本発明の範囲および趣旨から逸脱することなく、多くの変更および変形が当業者には明らかであろう。この実施形態は、本発明の原理および実際の適用を最もよく説明し、意図された特定の用途に適した様々な変更を伴う様々な実施形態について当業者が本発明を理解できるように選択および記載された。
【図１】
2019518880.tif 000003
【図２Ａ】
2019518880.tif 000004
【図２Ｂ】
2019518880.tif 000005
【図３】
2019518880.tif 000006
【図４Ａ】
2019518880.tif 000007
【図４Ｂ】
2019518880.tif 000008
【図４Ｃ】
2019518880.tif 000009
【図５】
2019518880.tif 000010
【図６】
2019518880.tif 000011
【図７】
2019518880.tif 000012
【国際調査報告】
2019518880.tif 000013